(57)【特許請求の範囲】
【請求項１】
タッチパネル部と、
前記タッチパネル部に画像とスクロールバーとスライダーとを表示する表示制御部と、
前記スクロールバーに対するタッチ位置を検出する検出部と
を備え、
前記タッチ位置は、第１タッチ位置と第２タッチ位置とを含み、
前記表示制御部は、
前記第１タッチ位置に前記スライダーを移動させ、
前記第１タッチ位置から前記第２タッチ位置に前記スライダーを移動させ、
前記スライダーの位置に対応する画像を表示し、
前記第１タッチ位置までの前記スライダーの第１移動速度と、前記第１タッチ位置から前記第２タッチ位置までの前記スライダーの第２移動速度とは異なり、
前記第１タッチ位置は、前記スクロールバーに最初にタッチ操作した位置であり、
前記第２タッチ位置は、前記最初のタッチ操作の後に前記スクロールバーにタッチ操作した位置である、表示制御装置。
【請求項２】
前記表示制御部は、前記第１移動速度を前記第２移動速度より速くなるように調整する、請求項１に記載の表示制御装置。
【請求項３】
前記第１タッチ位置は、前記スライダーと前記第２タッチ位置との間に位置する、請求項１に記載の表示制御装置。
【請求項４】
前記第１タッチ位置と前記第２タッチ位置とを前記検出部が検出した場合、前記表示制御部は、
前記スクロールバー上に表示した前記スライダーを非表示にした後に前記スライダーを前記第１タッチ位置に表示し、
前記第１タッチ位置に表示した前記スライダーを前記第１タッチ位置から前記第２タッチ位置まで移動させる、請求項１に記載の表示制御装置。
【請求項５】
前記検出部は、前記第２移動速度で移動する前記スライダーに対するタッチ操作を検出し、
前記表示制御部は、前記検出部の検出結果に基づいて、前記タッチ操作の位置で前記スライダーを停止し、前記スライダーの位置に対応する前記画像を表示する、請求項２に記載の表示制御装置。
【請求項６】
タッチパネル部を有する表示制御装置が実行する表示制御方法であって、
前記タッチパネル部に画像とスクロールバーとスライダーとを表示するように前記タッチパネル部を制御する制御ステップと、
前記スクロールバーに対する第１タッチ位置と第２タッチ位置とを検出する検出ステップと、
前記第１タッチ位置に前記スライダーを移動させるステップと、
前記第１タッチ位置から前記第２タッチ位置に前記スライダーを移動させるステップと、
前記スライダーの位置に対応する画像を表示する表示ステップと
を備え、
前記第１タッチ位置までの前記スライダーの第１移動速度と、前記第１タッチ位置から前記第２タッチ位置までの前記スライダーの第２移動速度とは異なり、
前記第１タッチ位置は、前記スクロールバーに最初にタッチ操作した位置であり、  前記第２タッチ位置は、前記最初のタッチ操作の後に前記スクロールバーにタッチ操作した位置である、表示制御方法。
【発明の詳細な説明】
【技術分野】
【０００１】
本発明は、表示制御装置、及び表示制御方法に関する。
【背景技術】
【０００２】
一般に、表示手段にスクロールバーとスライダーとを表示するスクロールバー操作装置が知られている。このようなスクロールバー操作装置として、特許文献１に記載のスクロールバー操作装置は、スクロールバーと、スライダーと、指定位置情報表示手段と、スライダー表示位置変更手段とを備える。特許文献１に記載のスクロールバー操作装置によれば、スライダーが移動操作されるとスライダーの位置に応じた画像情報を表示できる。
【先行技術文献】
【特許文献】
【０００３】
【特許文献１】特開２００４−１３９３２１号公報
【発明の概要】
【発明が解決しようとする課題】
【０００４】
しかしながら、特許文献１に記載のスクロールバー操作装置では、スライダーを移動させる範囲を指定できない。このため、画像情報が多い場合、ユーザーが所望する画像情報を探すための時間が長くなる。この結果、ユーザーの利便性が充分でない。【０００５】
本発明は上記課題に鑑みてなされたものであり、ユーザーの利便性を向上させることができる表示制御装置、及び表示制御方法を提供することを目的とする。
【課題を解決するための手段】
【０００６】
本発明に係る表示制御装置は、タッチパネル部と、表示制御部と、検出部とを備える。前記表示制御部は、前記タッチパネル部に画像とスクロールバーとスライダーとを表示する。前記検出部は、前記スクロールバーに対するタッチ位置を検出する。前記タッチ位置は、第１タッチ位置と第２タッチ位置とを含む。前記表示制御部は、前記第１タッチ位置から前記第２タッチ位置に前記スライダーを移動させ、前記スライダーの位置に対応する画像を表示する。【０００７】
本発明に係るタッチパネル部を有する表示制御装置が実行する表示制御方法は、制御ステップと、検出ステップと、表示ステップとを備える。制御ステップは、前記タッチパネル部に画像とスクロールバーとスライダーとを表示するように前記タッチパネル部を制御する。検出ステップは前記スクロールバーに対する第１タッチ位置と第２タッチ位置とを検出する。表示ステップは、前記第１タッチ位置から前記第２タッチ位置に前記スライダーを移動させ、前記スライダーの位置に対応する画像を表示する。
【発明の効果】
【０００８】
本発明によれば、ユーザーの利便性が向上する。
【図面の簡単な説明】
【０００９】
【図１】本発明の実施形態に係る表示制御装置を示す図である。
【図２】本発明の実施形態に係る文書選択画面を示す図である。
【図３】スクロールバーに対してマルチタッチ操作した図である。
【図４】第１タッチ位置に位置したスライダーを示す図である。
【図５】第２タッチ位置に位置したスライダーを示す図である。
【図６】表示制御部が実行する処理を示す図である。
【発明を実施するための形態】
【００１０】
以下、本発明の実施形態について、図面を参照しながら説明する。なお、図中、同一又は相当部分については同一の参照符号を付して説明を繰り返さない。
【００１１】
まず、図１を参照して本発明の実施形態に係る表示制御装置１００を説明する。図１は、本発明の実施形態に係る表示制御装置１００を示す図である。
【００１２】
表示制御装置１００は、例えば、スマートフォン又はパソコンの一部として用いられる。表示制御装置１００は、タッチパネル部２と、記憶部３と、表示制御部４とを備える。図１に示すＹ軸は、タッチパネル部２の長辺と平行である。Ｙ軸は、左右方向を示す。Ｘ軸は、タッチパネル部２の短辺と平行である。Ｘ軸は、上下方向を示す。
【００１３】
タッチパネル部２は、ユーザーからの操作を受け付ける。また、タッチパネル部２は、画像を表示する。タッチパネル部２は矩形状である。タッチパネル部２は、検出部２１と、表示部２２とを含む。
【００１４】
検出部２１は、ユーザーの操作を検出する。例えば、ユーザーは指で検出部２１を操作する。検出部２１は、ユーザーの指が接触している位置を検出する。検出部２１は、矩形状である。検出部２１は、表示部２２に重なるように配置される。なお、検出部２１は透明である。
【００１５】
表示部２２は、画像を表示する。表示部２２は、画面を含む。表示部２２は画面に任意の画像を表示する。表示部２２は、液晶表示装置であってもよく、有機ＥＬ表示装置であってもよい。ユーザーは、検出部２１を介して表示部２２の画面に表示された画像を視認できる。
【００１６】
記憶部３は、記憶装置を含み、制御プログラムと、画像とを記憶する。制御プログラムは、例えば、表示制御部４の動作を制御するプログラムを含む。
【００１７】
記憶部３は、例えば、ハードディスク、ＲＯＭ（Ｒｅａｄ  Ｏｎｌｙ  Ｍｅｍｏｒｙ）又はＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００１８】
表示制御部４は、制御プログラムを実行することにより、表示制御装置１００の動作を制御する。表示制御部４は、ＣＰＵ（Ｃｅｎｔｒａｌ  Ｐｒｏｃｅｓｓｉｎｇ  Ｕｎｉｔ）のようなプロセッサーによって構成される。表示制御部４は、表示制御装置１００を動作させる集積回路を備える。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００１９】
表示制御部４は、タッチパネル部２と、記憶部３とにそれぞれ接続される。表示制御部４は、タッチパネル部２と、記憶部３とを制御する。例えば、表示制御部４はタッチパネル部２の表示部２２を制御する。例えば、表示制御部４は、検出部２１の検出結果に基づいて表示部２２の表示する画像を変更する。
【００２０】
次に、検出部２１の詳細を説明する。検出部２１は、接触している指の位置を検出する。ユーザーが単数の指で検出部２１に接触した場合、検出部２１は、単数の指が接触している位置を検出する。例えば、１本の指で検出部２１を操作する。検出部２１は、１本の指が接触している１つの位置を検出する。１本の指で検出部２１に接触する操作は、シングルタッチ操作の例に相当する。
【００２１】
ユーザーが複数の指で検出部２１に接触した場合、検出部２１は、複数の指の各々が接触している位置を検出する。例えば、２本の指で検出部２１を操作する。検出部２１は、２本の指が接触している２つの位置を検出する。２本の指で検出部２１に接触する操作は、マルチタッチ操作の例に相当する。
【００２２】
また、検出部２１は、ユーザーの指が検出部２１と接触した状態で検出部２１の上を移動する擦動を検出する。指の擦動は、表示部２２に表示された画像に対して行う。指の擦動は、例えば、表示部２２に表示された画像を移動させる。表示された画像を移動させる動作は、スクロール操作の例に相当する。
【００２３】
また、検出部２１は、擦動の方向を検出する。具体的には、検出部２１は、Ｘ軸方向の擦動とＹ軸方向の擦動とを検出する。さらに具体的には、検出部２１は、Ｘ軸方向における上方向の擦動と下方向の擦動とを検出する。また、検出部２１は、Ｙ軸方向における左方向の擦動と右方向の擦動とを検出する。
【００２４】
図２を参照して、文書選択画面を説明する。図２は、表示部２２の画面に表示された文書選択画面を示す図である。表示制御部４は、表示部２２が文書選択画面を表示するように、表示部２２を制御する。文書選択画面には、複数の画像が表示される。具体的には、文書選択画面には、フォルダー画像２３０と、文書画像２４０と、スライダー２２１と、スクロールバー２２２とが表示される。つまり、表示制御部４は、タッチパネル部２にフォルダー画像２３０と、文書画像２４０と、スライダー２２１と、スクロールバー２２２とを表示する。
【００２５】
表示制御部４は、表示部２２が文書選択画面にフォルダー画像２３０を表示するように、表示部２２を制御する。フォルダー画像２３０は、ユーザーによって選択されたフォルダーの名前と、文書画像２４０の番号２３１と、フォルダーに収容された文書画像２４０の総数２３２とを含む。文書画像２４０の番号２３１は、スライダー２２１の位置に応じて変更される。文書画像２４０の総数２３２は、フォルダーに収容された文書画像２４０の数に応じて変更される。
【００２６】
表示制御部４は、表示部２２が文書選択画面に文書画像２４０を表示するように、表示部２２を制御する。具体的には、表示制御部４は、表示部２２が文書選択画面に文書画像２４０を４つ表示するように、表示部２２を制御する。例えば、表示制御部４は、表示部２２が文書選択画面に文書１と、文書２と、文書３と、文書４とを表示するように、表示部２２を制御する。文書画像２４０は、文書１〜文書４８を含む。
【００２７】
また、表示制御部４は、文書画像２４０を選択できるように文書選択画面に文書画像２４０を表示する。例えば、図２に示す文書３を選択する場合、文書選択画面全体のうち文書３の画像を表示している部分をタッチする。検出部２１は、文書３の画像に対するタッチ操作を検出する。表示制御部４は、検出部２１の検出結果に基づいて、表示部２２が文書３の内容を表示するように、表示部２２を制御する。この結果、ユーザーは、文書選択画面に表示された文書画像２４０を選択でき、文書画像２４０の内容を確認できる。
【００２８】
表示制御部４は、表示部２２が文書選択画面にスライダー２２１とスクロールバー２２２とを表示するように、表示部２２を制御する。また、表示制御部４は、スライダー２２１を、矩形状のスクロールバー２２２の内部に表示する。また、表示制御部４は、文書画像２４０の総数２３２に基づいてスライダー２２１のサイズを変更する。
【００２９】
スライダー２２１は、スクロールバー２２２の内部を移動する。具体的には、スライダー２２１は、スクロールバー２２２の長手方向に沿って移動する。また、スクロールバー２２２の長手方向がＸ軸と一致するように表示される場合、スライダー２２１は、Ｘ軸方向に移動可能となる。スライダー２２１をＸ軸方向に移動させることで、文書選択画面をＸ軸方向にスクロール操作できる。また、スクロールバー２２２の長手方向がＹ軸と一致するように表示される場合、スライダー２２１は、Ｙ軸方向に移動可能となる。スライダー２２１をＹ軸方向に移動させることで、文書選択画面をＹ軸方向にスクロール操作できる。
【００３０】
スライダー２２１がスクロールバー２２２の上方端側に表示される場合、表示制御部４は、文書１と、文書２と、文書３と、文書４とを文書選択画面に表示するように、表示部２２を制御する。また、スライダー２２１がスクロールバー２２２の下方端側に表示される場合、表示制御部４は、文書４５と、文書４６と、文書４７と、文書４８とを文書選択画面に表示するように、表示部２２を制御する。文書画像の総数が４８個の場合、スライダー２２１は、文書１〜文書４８までをスクロール操作できる。
【００３１】
また、スライダー２２１を移動させる場合、文書選択画面全体のうちスクロールバー２２２の画像を表示している部分をタッチする。検出部２１は、スクロールバー２２２に対するタッチ操作を検出する。具体的には、検出部２１は、スクロールバー２２２に対するタッチ位置を検出する。表示制御部４は、検出部２１の検出結果に基づいて、タッチ位置にスライダー２２１を表示する。タッチ位置にスライダー２２１を表示させた場合、表示制御部４は、表示部２２がスライダー２２１の位置に対応する文書画像２４０を文書選択画面に４つ表示するように、表示部２２を制御する。
【００３２】
また、表示制御部４は、表示部２２がタッチ位置まで移動するスライダー２２１を表示するように、表示部２２を制御してもよい。移動するスライダー２２１を表示する場合、表示制御部４は、表示部２２が移動するスライダー２２１の位置に対応する文書画像２４０を文書選択画面に表示する。移動するスライダー２２１の位置に対応する文書画像２４０を表示することで、表示制御部４は、文書画像２４０を遷移させることが可能となる。
【００３３】
また、表示制御部４は、検出部２１がスライダー２２１をタッチした状態で擦動を検出する場合、表示部２２が擦動に対応する位置にスライダー２２１を表示するように、表示部２２を制御してもよい。検出部２１がスライダー２２１をタッチした状態で擦動を検出する場合、表示制御部４は、表示部２２が擦動によって移動するスライダー２２１の位置に対応する文書画像２４０を文書選択画面に表示してもよい。移動するスライダー２２１の位置に対応する文書画像２４０を表示することで、表示制御部４は、文書画像２４０を遷移させることが可能となる。
【００３４】
図３を参照して、スクロールバー２２２がマルチタッチ操作された場合を説明する。図３は、スクロールバー２２２に対してマルチタッチ操作した図である。図３に示すスクロールバー２２２は、人差し指と親指とによってマルチタッチ操作されている。マルチタッチ操作によるタッチ位置は、第１タッチ位置と第２タッチ位置とを含む。例えば、人差し指は、第１タッチ位置をタッチする。第１タッチ位置は、スクロールバー２２２のうちＰ１の位置である。親指は、第２タッチ位置Ｐ２をタッチする。第２タッチ位置は、スクロールバー２２２のうち第２タッチ位置Ｐ２の位置である。第１タッチ位置Ｐ１と第２タッチ位置Ｐ２とは、所定距離離間している。図３に示すスライダー２２１の位置に対応する文書画像２４０は、文書１〜文書４である。
【００３５】
検出部２１は、スクロールバー２２２に対する第１タッチ位置Ｐ１と第２タッチ位置Ｐ２とを検出する。図３に示すように、第１タッチ位置Ｐ１は、スクロールバー２２２の上端部と下端部との間に位置する。具体的には、第１タッチ位置Ｐ１は、スライダー２２１と第２タッチ位置Ｐ２との中間に位置する。また、第２タッチ位置Ｐ２は、スクロールバー２２２の下端側に位置する。
【００３６】
図３、図４及び図５を参照して、第１タッチ位置Ｐ１に向かって移動するスライダー２２１を表示する処理と、第１タッチ位置Ｐ１から第２タッチ位置Ｐ２に向かって移動するスライダー２２１を表示する処理とを説明する。図４は、第１タッチ位置Ｐ１に位置したスライダー２２１を示す図である。図４に示すスライダー２２１の位置に対応する文書画像２４０は、文書２１〜文書２４である。図５は、第２タッチ位置Ｐ２に位置したスライダー２２１を示す図である。図５に示すスライダー２２１の位置に対応する文書画像２４０は、文書４１〜文書４４である。
【００３７】
表示制御部４は、検出部２１がマルチタッチ操作を検出した場合、マルチタッチ操作がされた位置までスライダー２２１を移動させる。具体的には、検出部２１がスクロールバー２２２に対する第１タッチ位置Ｐ１と第２タッチ位置Ｐ２とを検出した場合、表示制御部４は、表示部２２が第１タッチ位置Ｐ１に移動するスライダー２２１と、第２タッチ位置Ｐ２に移動するスライダー２２１とを表示するように、表示部２２を制御する。
【００３８】
例えば、表示制御部４は、図３に示すスライダー２２１の位置から図４に示す第１タッチ位置Ｐ１まで移動するスライダー２２１を表示するように、表示部２２を制御する。そして、表示制御部４は、図４に示す第１タッチ位置Ｐ１から図５に示す第２タッチ位置Ｐ２まで移動するスライダー２２１を表示するように、表示部２２を制御する。
【００３９】
また、文書画像２４０は、スライダー２２１の移動にあわせて遷移する。具体的には、表示制御部４は、表示部２２が移動するスライダー２２１の位置に対応する文書画像２４０を文書選択画面に表示するように、表示部２２を制御する。この結果、文書画像２４０は、スライダー２２１の移動にあわせて遷移する。
【００４０】
例えば、図３に示すスライダー２２１の位置から図４に示す第１タッチ位置Ｐ１までスライダー２２１を移動させる場合、表示制御部４は、スライダー２２１の移動にあわせて文書１〜文書２４が遷移するように、表示部２２を制御する。図３に示すスライダー２２１の位置から図４に示す第１タッチ位置Ｐ１までの間には、文書１〜文書２４までの文書画像２４０が含まれる。このため、文書１〜文書２４が、スライダー２２１の移動にあわせて遷移する。
【００４１】
また、図４に示す第１タッチ位置Ｐ１から図５に示す第２タッチ位置Ｐ２までスライダー２２１を移動させる場合、表示制御部４は、スライダー２２１の移動にあわせて文書２１〜文書４４が遷移するように、表示部２２を制御する。図４に示す第１タッチ位置Ｐ１から図５に示す第２タッチ位置Ｐ２までの間には、文書２１〜文書４４までの文書画像２４０が含まれる。このため、文書２１〜文書４４が、スライダー２２１の移動にあわせて遷移する。
【００４２】
スクロールバー２２２をマルチタッチ操作することで、スライダー２２１を移動させる範囲を指定できる。つまり、第１タッチ位置Ｐ１から第２タッチ位置Ｐ２までの間で表示部２２に表示される文書画像２４０には、ユーザーが所望する文書画像２４０が含まれる。なお、スライダー２２１を移動させる範囲は、第１タッチ位置Ｐ１までの範囲と第１タッチ位置Ｐ１から第２タッチ位置Ｐ２までの範囲とであってもよい。また、スライダー２２１を移動させる範囲は、スクロールバー２２２の上端部から下端部のうち、第１タッチ位置Ｐ１から第２タッチ位置Ｐ２までの範囲のみであってもよい。この結果、指定した範囲内をスライダー２２１が移動するので、ユーザーが所望する範囲の文書画像２４０を確認することができる。よって、ユーザーの利便性が向上する。
【００４３】
また、表示制御部４は、スライダー２２１の移動速度を調整する。第１タッチ位置Ｐ１に移動するスライダー２２１を表示部２２に表示する場合、表示制御部４は、スライダー２２１の移動速度を調整する。具体的には、表示制御部４は、第１タッチ位置Ｐ１に移動するスライダー２２１の移動速度をシングルタッチ操作におけるタッチ位置に移動するスライダー２２１の移動速度より速くする。第１タッチ位置Ｐ１までのスライダー２２１の移動速度は、「第１移動速度」の例に相当する。よって、ユーザーが所望する文書画像２４０が含まれない部分のスライダー２２１の移動が速くなる。この結果、スライダー２２１が第１タッチ位置Ｐ１まで移動する時間が短縮され、ユーザーの利便性が向上する。
【００４４】
また、第１タッチ位置Ｐ１と第２タッチ位置Ｐ２とを検出部２１が検出した場合、表示制御部４は、スクロールバー２２２上に表示したスライダー２２１を非表示にした後にスライダー２２１を第１タッチ位置Ｐ１に表示し、第１タッチ位置Ｐ１に表示したスライダー２２１を第１タッチ位置Ｐ１から第２タッチ位置Ｐ２まで移動させる。つまり、表示制御部４は、第１タッチ位置Ｐ１まで移動するスライダー２２１を表示せずに、第１タッチ位置Ｐ１にスライダー２２１を表示するように、表示部２２を制御してもよい。したがって、スライダー２２１が第１タッチ位置Ｐ１まで移動する時間が短縮しつつ、ユーザーが所望する文書画像２４０が含まれる部分のみを表示部２２に表示できる。この結果、ユーザーの利便性が向上する。
【００４５】
また、第２タッチ位置Ｐ２に移動するスライダー２２１を表示部２２に表示する場合、表示制御部４は、スライダー２２１の移動速度を第１移動速度と異なる移動速度で移動させる。第１タッチ位置Ｐ１までのスライダー２２１の第１移動速度と、第１タッチ位置Ｐ１から第２タッチ位置Ｐ２までのスライダー２２１の第２移動速度とは、異なる。具体的には、表示制御部４は、第２タッチ位置Ｐ２に移動するスライダー２２１の移動速度を第１移動速度より遅くする。第２タッチ位置Ｐ２に移動するスライダー２２１の移動速度は、「第２移動速度」の例に相当する。この結果、スライダー２２１が第１タッチ位置Ｐ１から第２タッチ位置Ｐ２まで移動する時間が長くなる。なお、表示制御部４は、第１移動速度を第２移動速度より速くなるように調整してもよい。
【００４６】
スライダー２２１が第１タッチ位置Ｐ１から第２タッチ位置Ｐ２まで移動する時間が長くなるため、第１タッチ位置Ｐ１から第２タッチ位置Ｐ２までの文書画像２４０の遷移も遅くなる。この結果、ユーザーは、第１タッチ位置Ｐ１から第２タッチ位置Ｐ２までの間にある文書画像２４０を探すことが容易となり、ユーザーの利便性が向上する。
【００４７】
また、検出部２１がタッチ操作を検出し、所定時間経過後にさらにタッチ操作を検出した場合、表示制御部４は、マルチタッチ操作と判定する。具体的には、表示制御部４は、スクロールバー２２２に最初にタッチ操作した位置を第１タッチ位置Ｐ１と判定する。また、表示制御部４は、最初のタッチ操作の後にスクロールバー２２２にタッチ操作した位置を第２タッチ位置Ｐ２と判定する。
【００４８】
表示制御部４は、判定結果に基づいて、表示部２２がタッチ操作した位置に向かって移動するスライダー２２１を表示するように、表示部２２を制御する。具体的には、表示制御部４は、表示部２２が第１タッチ位置Ｐ１に向かって移動するスライダー２２１を表示するように、表示部２２を制御する。そして、表示制御部４は、表示部２２が第１タッチ位置Ｐ１から第２タッチ位置Ｐ２に向かって移動するスライダー２２１を表示するように、表示部２２を制御する。また、表示制御部４は、移動するスライダー２２１の位置に対応する文書画像２４０を表示するように、表示部２２を制御し、文書画像２４０を遷移させる。また、表示制御部４は、第１タッチ位置Ｐ１から第２タッチ位置Ｐ２に移動するスライダー２２１の第２移動速度を、第１移動速度よりも遅い速度に調整する。
【００４９】
このような制御は、例えば、第１タッチ位置Ｐ１までに所望する文書画像２４０があり、所望する文書画像２４０を通過してしまった場合に有効である。所望する文書画像２４０の位置をスライダー２２１が通過した場合、ユーザーは、所望する文書画像２４０の位置にスライダー２２１を移動させる。つまり、さらにタッチ操作を行う。さらにタッチ操作を行った位置は、表示制御部４が第２タッチ位置Ｐ２と判定する。そして、表示制御部４は、表示部２２が第１タッチ位置Ｐ１から第２タッチ位置Ｐ２に向かって移動するスライダー２２１を表示するように、表示部２２を制御する。また、表示制御部４は、移動するスライダー２２１の位置に対応する文書画像２４０を表示するように、表示部２２を制御し、文書画像２４０を遷移させる。また、表示制御部４は、第１タッチ位置Ｐ１から第２タッチ位置Ｐ２に移動するスライダー２２１の第２移動速度を、第１移動速度よりも遅い速度に調整する。この結果、ユーザーは、第１タッチ位置Ｐ１から第２タッチ位置Ｐ２までの間にある文書画像２４０を探すことが容易となり、ユーザーの利便性が向上する。
【００５０】
また、このような制御は、例えば、第１タッチ位置Ｐ１までに所望する文書画像２４０が無い場合にも有効である。所望する文書画像２４０が第１タッチ位置Ｐ１までにない場合、ユーザーは、所望する文書画像２４０の位置にスライダー２２１を移動させる。つまり、さらにタッチ操作を行う。さらにタッチ操作を行った位置は、表示制御部４が第２タッチ位置Ｐ２と判定する。そして、表示制御部４は、表示部２２が第１タッチ位置Ｐ１から第２タッチ位置Ｐ２に向かって移動するスライダー２２１を表示するように、表示部２２を制御する。また、表示制御部４は、移動するスライダー２２１の位置に対応する文書画像２４０を表示するように、表示部２２を制御し、文書画像２４０を遷移させる。また、表示制御部４は、第１タッチ位置Ｐ１から第２タッチ位置Ｐ２に移動するスライダー２２１の第２移動速度を、第１移動速度よりも遅い速度に調整する。この結果、ユーザーは、第１タッチ位置Ｐ１から第２タッチ位置Ｐ２までの間にある文書画像２４０を探すことが容易となり、ユーザーの利便性が向上する。
【００５１】
また、第２移動速度で移動するスライダー２２１は、タッチ操作を受け付ける。具体的には、検出部２１は、第２移動速度で移動するスライダー２２１に対するタッチ操作を検出する。そして、表示制御部４は、検出部２１の検出結果に基づいて、タッチ操作の位置でスライダー２２１を停止する。さらに、表示制御部４は、スライダー２２１の位置に対応する文書画像２４０を表示する。つまり、第２移動速度で移動するスライダー２２１の移動が停止され、文書画像２４０の遷移も停止される。そして、タッチ操作の位置にスライダー２２１が表示され、スライダー２２１の位置に対応する文書画像２４０が表示される。この結果、ユーザーが所望する文書画像２４０を表示部２２に表示できる。また、スライダー２２１が第２移動速度で移動するので、スライダー２２１へのタッチ操作が容易となる。
【００５２】
図６を参照して、表示制御部４の処理を説明する。図６は、表示制御部４が実行する処理を示す図である。図６に示すように、表示制御部４が実行する処理は、ステップＳ１〜ステップＳ１７を含む。
【００５３】
ステップＳ１において、表示制御部４は、タッチ操作の受け付けを行う。処理は、ステップＳ３に進む。
【００５４】
ステップＳ３において、検出部２１は、第１タッチ位置Ｐ１と第２タッチ位置Ｐ２とを検出する。処理は、ステップＳ５に進む。
【００５５】
ステップＳ５において、表示制御部４は、タッチ操作がマルチタッチ操作であるか否かを判定する。マルチタッチ操作でない場合（ステップＳ５においてＮｏ）、処理はステップＳ１５に進む。マルチタッチ操作である場合（ステップＳ５においてＹｅｓ）、処理は、ステップＳ７に進む。
【００５６】
ステップＳ７において、表示制御部４は、スライダー２２１の移動速度を第１移動速度に調整する。処理は、ステップＳ９に進む。
【００５７】
ステップＳ９において、表示制御部４は、表示部２２が第１タッチ位置Ｐ１に向かって第１移動速度で移動するスライダー２２１を表示するように、表示部２２を制御する。また、表示制御部４は、スライダー２２１の移動に合わせて文書画像２４０が遷移するように、表示部２２を制御する。処理は、ステップＳ１１に進む。
【００５８】
ステップＳ１１において、表示制御部４は、スライダー２２１の移動速度を第２移動速度に調整する。処理は、ステップＳ１３に進む。
【００５９】
ステップＳ１３において、表示制御部４は、表示部２２が第１タッチ位置Ｐ１から第２タッチ位置Ｐ２に向かって第２移動速度で移動するスライダー２２１を表示するように、表示部２２を制御する。また、表示制御部４は、スライダー２２１の移動に合わせて文書画像２４０が遷移するように、表示部２２を制御する。処理は終了する。
【００６０】
ステップＳ１５において、検出部２１は、タッチ位置を検出する。
【００６１】
ステップＳ１７において、表示制御部４は、表示部２２がタッチ位置に向かって移動するスライダー２２１を表示するように、表示部２２を制御する。また、表示制御部４は、スライダー２２１の移動に合わせて文書画像２４０が遷移するように、表示部２２を制御する。
【００６２】
この結果、第１タッチ位置Ｐ１から第２タッチ位置Ｐ２に対応する文書画像２４０を表示できる。この結果、ユーザーが望む文書画像２４０を表示でき、ユーザーの利便性が向上する。
【００６３】
また、第１タッチ位置Ｐ１までのスライダー２２１の移動速度を第１移動速度にすることで、スライダー２２１が第２移動速度より速い速度で移動する。この結果、ユーザーが所望しない文書画像２４０が表示される時間を短縮することが可能となり、ユーザーの利便性が向上する。
【００６４】
また、第１タッチ位置Ｐ１から第２タッチ位置Ｐ２までのスライダー２２１の移動速度を第２移動速度にすることで、スライダー２２１が第１移動速度より遅い速度で移動する。この結果、ユーザーが所望する文書画像２４０が表示される時間を長くすることが可能となり、ユーザーの利便性が向上する。
【００６５】
本明細書において、ステップＳ３は、「検出ステップ」の例に相当する。ステップＳ１３は、「表示ステップ」の例に相当する。
【００６６】
以上、図面（図１〜図６）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６７】
本発明は、表示制御装置、及び表示制御方法の分野に利用可能である。
【図１】
0006919760.tif 000002
【図２】
0006919760.tif 000003
【図３】
0006919760.tif 000004
【図４】
0006919760.tif 000005
【図５】
0006919760.tif 000006
【図６】
0006919760.tif 000007